【事件の表示】
　上記当事者間の特許第５１９７２３５号発明「マスク」の特許無効審判事件について、次のとおり審決する。
【結　論】
　特許第５１９７２３５号の請求項１ないし７に係る発明についての特許を無効とする。
　審判費用は、被請求人の負担とする。
【理　由】
第１　手続の経緯及び本件特許発明１ないし７
　特許第５１９７２３５号（以下、「本件特許」という。）の請求項１ないし７に係る発明（以下、「本件特許発明１」ないし「本件特許発明７」という。）についての出願は、平成２０年８月２６日に出願され、平成２５年２月１５日に特許権の設定登録がなされたものである。
　その後、平成２５年１１月２５日に請求人より本件特許発明１ないし７について無効審判が請求され、平成２６年１月１０日に請求人より審判請求書の請求の理由及び証拠方法について補正する手続補正書（方式）が提出されたものである。
　そして、本件特許発明１ないし７は、本件特許の願書に添付した明細書、特許請求の範囲及び図面の記載からみて、その特許請求の範囲の請求項１ないし７に記載された次の事項により特定されるとおりのものである。
　
　「【請求項１】
　通気性を有する素材から成り、口と鼻とを覆う覆い部と、その覆い部の両側部から延び出して耳に掛けられる２つの耳掛部とを含むマスクであって、
　前記覆い部が、四角形の前記素材に横方向に延びる複数のヒダが形成されるとともに各ヒダの両端部においてヒダの側壁同士が接合されて伸びない側縁部とされ、かつ、上端縁に沿って横方向に延びる上縁部を含み、その上縁部に当該マスクの装着者の鼻に係合することによりその上縁部が下方へずれることを防止する下ずれ防止部が設けられる一方、下端部にその下端部が上方にずれることを防止する上ずれ防止部を備え、その上ずれ防止部が、前記四角形の素材の下端部が内側へ折り返されるとともに、その折り返された部分の両側縁部の少なくとも各折返し点に隣接する部分がそれら両側縁部と対向する部分に接合される一方、その折り返された部分の横方向に平行な端縁部はその端縁部に対向する部分に接合されず、それら折り返された部分とその折り返された部分に対向する部分とによって、前記覆い部の内側に上方に向かって開いた凹部が形成されて成り、その凹部が当該マスクの装着者の顎に掛かって前記上ずれ防止部として機能するものであることを特徴とするマスク。
【請求項２】
　前記折返し部の両側縁部の折返し点に隣接する部分がそれら両側縁部に対向する部分に接合される一方、その折返し部の自由端側の両側縁部は接合されず、それら接合されない両側縁部に前記２つの耳掛部の各一端が接合されたことを特徴とする請求項１に記載のマスク。
【請求項３】
　前記折返し部の両側縁部の全部がそれら両側縁部に対向する部分に接合されるとともに、その折返し部の両側縁部に前記２つの耳掛部の各一端が接合されたことを特徴とする請求項１に記載のマスク。
【請求項４】
　前記複数のヒダが１つの箱ヒダと、その箱ヒダの下方に形成された車ヒダとの両方を含むことを特徴とする請求項１ないし３のいずれかに記載のマスク。
【請求項５】
　前記複数のヒダが、その覆い部の上下方向の中間部に形成された１つの箱ヒダと、その箱ヒダの下方に形成された複数の車ヒダとを含み、前記箱ヒダの上方にはヒダが形成されていないことを特徴とする請求項１ないし３のいずれかに記載のマスク。
【請求項６】
　前記上縁部に、塑性変形が可能な材料から成る長手形状の塑性変形部材が取り付けられ、前記下ずれ防止部とされた請求項１ないし５のいずれかに記載のマスク。
【請求項７】
　前記通気性を有する素材が、複数枚の通気性を有するシートが重ね合わされたものであり、前記覆い部の少なくとも上端縁と下端縁とにおいて、１枚のシートが他のシートの縁から外方に延び出させられ、他のシートの縁部の上に折り返されて接合された請求項１ないし６のいずれかに記載のマスク。」
 　 
第２　請求人の主張の概要及び証拠方法
　請求人は、審判請求書とともに下記甲第１ないし１１号証を証拠方法として提出した。
　また、平成２６年１月１０日に手続補正書（方式）を提出した。
　　
１　請求人の主張の概要
　請求人の主張の概要は、次のとおりである（審判請求書の第２ページ第１５ないし２０行を参照。）。
　　
　「本件特許の請求項１に係る発明は、甲第１号証に記載の発明と同一であり、また本件特許の請求項１〜７に係る発明は、甲第１〜１１号証に記載された発明に基いて、当業者が容易に発明をすることができたものである。従って、本件特許発明は、特許法第２９条第１項又は２項の規定により特許を受けることができなかったにも拘らず特許されたものであるから、当該特許は同法第１２３条第１項第２号に該当し、無効とすべきである。」
　　
２　証拠方法
　甲第１号証：米国特許第５，６９９，７９１号明細書
　甲第２号証：特開２００１−２０４８３３号公報
　甲第３号証：特開２００７−９７９０４号公報
　甲第４号証：特開２００８−５５０３５号公報
　甲第５号証：特開平８−１０７９３９号公報
　甲第６号証：実用新案登録第３１２６２４２号公報
　甲第７号証：特開２００７−１５９７８４号公報
　甲第８号証：米国特許第４，６８８，５６６号明細書
　甲第９号証：米国国立ＣＤＣ(Centers for Disease Control and Prevention)Certified Equipment List 〔掲載日：２０１３年５月２２日〕、インターネット＜URL:http://www2a.cdc.gov/drds/cel/cel/_detail.asp?schedule=84Aapprovalno=0457manufacturercode=cbrn_scba=startrecord=lmaxrecords=50sqlstmt=＞
　甲第１０号証：商品説明書「N-95 Particulate Respirator」、１９９９年９月 Alpha Pro Tech INCORPORATED発行
　甲第１１号証：学術論文集「３Ｍ JobHealth HIGHLIGHTS Volume 20 Number 1 2002」３Ｍ Occupational Health and Environmetal Safety Division 発行
　　
第３　被請求人の主張の概要
　被請求人に対して、平成２６年１月２１日付けで審判請求書副本を送達し、平成２６年１月２２日付けで請求人が平成２６年１月１０日に提出した手続補正書（方式）副本を送付し、答弁をするように指令をしたが、被請求人は、何ら答弁をしなかった。
 
第４　当審の判断 
１　甲第１ないし１１号証の記載
（１）甲第１号証の記載
　甲第１号証には、「UNIVERSAL FIT FACE MASK」に関して、図面とともに概ね次の記載がある（以下、まとめて、「甲第１号証の記載」という。）（なお、下線は当審で付したものである。他の文献も同様。）。
　　
・「As seen in FIG. 1, an embodiment of a bacteria filtering mask 1 includes a flexible porous filtering section 2 comprising a plurality of distinct rectangular layers. A head strap 24 is carried by the upper corners of the mask while the lower edge of the mask is folded to provide a pouch 30 for engaging the chin of a wearer. As seen in FIG. 2, edges 22, including the folded sides of the pouch, are sealed with the terminal ends of the strap 24 material. Alternatively, as seen in FIG. 8, the side edges 22 may be sealed with a separate length of binding.
　Filter section 2 comprises an outer layer 4 of a non-woven spun-bonded material, at least one intermediate layer 6 of a non-woven meltblown material, and a non-woven inner layer 8 of a cellulose or combined cellulose and synthetic fiber material.」（第３欄第４ないし１８行）（翻訳：図１に示す通り、
細菌フィルターマスク１の実施形態は、複数の別個の長方形の層を含む柔軟性多孔質フィルター部２を含む。マスクの下端が着用者の顎を入れるためのポーチ３０を提供するために折り曲げられている
　フィルター部２はスパンボンド不織布材料の外側層４、少なくとも１つのメルトブロー不織布材料の中間層６、及びセルロースまたはセルロースと合成繊維が結合された材料の内側層８を含有する。）
　
・「As seen in reference to FIG. 2, one of the preferred embodiments of the mask provides a series of folded pleats 32 defined by filter section 2. The pleats allow a donned mask to expand to cover the wearer's face. However, an enormous variety of pad constructions and components can be provided.
　As best seen in reference to FIGS. 2-4 and 7, all edges of filter section 2 have a seam or other sealed margin. In the preferred embodiments, an upper-edge 10 is enclosed by binding strip 12 which may be sewn, glued, sonically welded or sealed using a combination of heat and pressure. Upper-edge 10 further defines a first support stay 14 which runs the width of mask 1. Stay 14 provides an adjustable nose-piece support for mask 1 and may be provided by a thin strip of a deformable material such as a strip of aluminum, thin gauge steel, or a plastic bendable strip. Preferably, stay 14 is either carried by an inner surface of binding strip 12 or between the filter section layers using an adhesive strip or other securing means.」（第３欄第２４ないし４２行）（翻訳：図２に示す通り、
本発明のマスクの好ましい実施形態の一つはフィルター部２で定義された一連の折り曲がったヒダ３２を提供する。そのヒダは装着者の顔をカバーするために装着されたマスクを広げるのに役立つ。
　図２〜４、７に示す通り、フィルター部２の全ての端部は縫い目又はその他密封された余白を有する。好ましい実施形態において、上端１０は縫合、接着、超音波溶接又は熱や圧力の組み合わせを用いた密封がなされてもよい結合ストリップ１２によって閉じられている。
上端１０はマスク１の幅に渡って第１支持部材１４をさらに備える。支持部材１４はマスク１の鼻部分の支持を調整可能にするものであり、例えばアルミニウム、細いゲージ鋼又はプラスチック製の折り曲げストリップのような変形材料の細いストリップによって提供されてもよい。
　　
・「Alternatively, as seen in FIG. 3, ear loops may be provided in place of the headband. Each loop may be provided by either a latex or non-latex elastomeric material as taught above.」（第４欄第４ないし７行）（翻訳：また、
図３に示す通り、ヘッドバンドに置き換えて耳かけが提供されてもよい。
　　
・「A similar elastomeric fabric is secured to the terminal edge of the folded portion of filter section 2 and provides a chin-strap 26 which passes under the chin of the wearer. Strap 26 helps form a gasket or seal around the wearer's face. The resulting fold and chin-strap further provides a pouch 30 for engaging the wearer's chin.」（第４欄第２３ないし２８行）（翻訳：同様の伸縮性繊維がフィルター部２の折り曲げ部の終末端に固定され、着用者のあごの下を通るチンストラップ２６を提供する。チンストラップ２６は着用者の顔の周りの密閉性を高めるのに役立つ。
折り曲げ部とチンストラップはさらに着用者のあごを入れるためのポーチ３０を提供する。
　　
・Ｆｉｇ．７及びＦｉｇ．９から、「素材の下端部の折り返しにより形成された、上方に向って開いた凹部」が看取される。
　
（２）甲第２号証の記載
　甲第２号証には、「マスク」に関して、図面とともに概ね次の記載がある（以下、まとめて、「甲第２号証の記載」という。）。
　　
・「【０００２】
【従来の技術】従来、この種のマスクの一例として、図８（当審注：「図８」は「図４」の誤記である。）に示すように、
略矩形状のマスク本体１と、その両側縁２にゴム状紐の両端を固着させて一対の耳掛け部３を構成し、上縁４近傍に塩ビ被覆ワイヤー５を封入し
【０００３】この
マスク９の着用時には、この挿入された塩ビ被覆ワイヤ５を鼻頭の形状に沿って曲げることにより、マスクの上縁４が顔面にフィットできるので、マスクのズレが防止できる
　　
・「【００１５】
【発明の実施の形態】以下、本発明の具体的な実施の形態について、図面を参照しつつ説明する。
【００１６】図１は、この発明の実施の形態のマスク１０を示す正面図であり、図４に示すマスク９において、塩ビワイヤー５を挿入せずに作成したマスクの両側縁が重なるように二つ折りに折り畳んだ状態を示している。この
マスク１０は、略矩形状のマスク本体１１とその両側縁１２に設けられた一対の耳掛け部１３とを備えている。
【００１７】この
マスク本体１１を構成する不織布
【００１８】
このマスク本体１１は、中央の口鼻付近に相当するほぼ全体位置に不織布が上下方向に折り返された折り返し部１４を備えている。
【００１９】また、このマスク本体１１は図１に示す両側縁１２が重なるように二つ折り状態で上縁１７と中央の折り目１８とともに小三角部２０を画成する上縁接合線部１９が形成されている。この上縁接合線部１９の形成は、マスク本体１１がこの上縁接合線部１９により接合されておればよいので、図１に示すような周縁シール仕上げ加工と同様な超音波や高周波によるミシン目状（点状）１６の融着であっても、また、帯状、面状の融着であってもよい。また、接合方法は融着のみならず接着剤による接着、縫合であってもよい。
【００２０】以上のように構成されたマスク１０によれば、マスク本体１１の上縁１７と中央の折り目１８とは上縁接合線部１９により接合されているので、上縁１７の長さはマスク本体１１の上下方向の中央付近の長さに比べて短くなる。一方、上縁接合線部１９付近のマスク本体１１の内側は、上縁１７に対して膨出されて膨出部２１を形成する。
【００２１】これにより、このマスク１０の着用時には、図２に示すように、口鼻付近２２に位置するマスク本体１１は、折り返し部１４の折り返しが蛇腹状に解かれて広がり上下方向の長さが長くなる。これにより、着用時の口鼻付近２２にゆとりができ、着用者がマスクを着用した状態で喋ることが容易となる。
【００２２】また、膨出部２１が鼻頭２３に沿って顔面を覆うので、着用者の顔面にフィットさせることができ、これにより、マスク１０のズレ防止ができる。また、マスク上縁１７が着用者の鼻頭２３の凹凸に沿い、マスク１０の上縁１７の折り目１８と鼻頭２３との間に隙間２５がないので、上縁１７から上方に吐息が漏れるのを防止することができ、眼鏡２４を掛けて使用しても眼鏡２４が吐息により曇ることがない。
【００２３】また、以上のように構成されたマスク１０は、ズレ防止に金属ワイヤーを必要としないので、廃棄時に金属材料と不織布材料とを分別する必要もない。また、製造工程では、金属ワイヤーを封入する工程がなく、マスク本体の周縁を自動シールするためのシール加工機（超音波又は高周波融着装置）により上縁接合線部１９を接合できるので、不要な設備を必要とせずに、製造コストも低減できる。それゆえ、食品工場や半導体製造工場などで使用される使い捨ての衛生マスクとしての利用が期待される。 
【００２４】また、このマスク１０は、上縁接合線部１９を設けたので、常時折り畳んで保管される。これにより、金属ワイヤーを挿入したマスクは、折り畳み収納が困難であるので、それに比較してコンパクトに収納できるという効果も奏する。
【００２５】
【変形例】実施の形態のマスク１０においては、着用時に小三角部２０が眼前に突出するので、視界を妨げる場合があるので、この変形例では、この小三角部２０を溶断等により切断除去する。ここで、この小三角部２０の溶断は、上縁接合線部１９の形成と同時に行うこともできる。たとえば、ロールの円周上に点状（千鳥状を含む）又は帯状に融着を施す凸部と、その帯に沿って不織布を溶断するための切断刃（鋭角凸部）を備えた超音波（又は高周波）融着・切断装置を用いれば、切断刃による小三角部２０の超音波溶断とともに縫い目状又は帯状の上縁接合線部１９を超音波融着により一度に形成することができる。
【００２６】また、この変形例では、図１の想像線により示すように、下縁２６と中央の折り目１８とともに下縁小三角部２７を画成する下縁接合線部２８を同様にしてこの下縁小三角部２７の切断とともに形成している。 
【００２７】これにより、図３に示すように、着用時に小三角部２０が、眼前に突出することが防止でき、視界が開けて使用感が良好となる。また、
マスク１０の下縁２６の折り目１８付近に上縁と同様に形成される下縁膨出部２９が顎付近３０の凹凸にも沿い、この下縁膨出部２９が顎部付近３０に空間を持たせ顎面を覆い、マスク１０が顎面にフィットするのでマスク１０のズレ防止ができるとともに顎の下方から空気が漏れるのを防止することができる。
　　
（３）甲第３号証の記載
　甲第３号証には、「マスク」に関して、図面とともに概ね次の記載がある（以下、「甲第３号証の記載」という。）。
　　
・「【００１１】
　図１及び図２に示す
マスク１０は、マスク本体２０と、マスク本体２０の左右両側部にそれぞれ取り付けられた耳掛け紐２１とを備えている。
マスク本体２０は、シート材料を折り畳んで構成されたものであり
【００１２】
　マスク本体２０は、前記のシート材料の一部から構成される中心板２２を備えている。中心板２２は横長の矩形をしており、横方向に延び且つ相対向する上端縁２３ａ及び下端縁２３ｂを有する。中心板２２の上側には上部板２４が連設されている。上部板２４は、中心板２２の上端縁２３ａに折曲部を位置させて、前記のシート材料が中心板２２の内側に部分的に折り重なるように折り畳まれて中心板２２に連設されている。これによって、
マスク本体２０の横方向に延びる上向きひだ２５が形成される。
【００１３】
　中心板２２の下側には第１の下部板２６が連設されている。第１の下部板２６は、中心板２２の下端縁２３ｂに折曲部を位置させて、前記のシート材料が中心板２２の内側に部分的に折り重なるように折り畳まれて中心板２４に連設されている。これによって、
マスク本体２０の横方向に延びる第１の下向きひだ２７が形成される。
【００１４】
　更に、第１の下部板２６には第２の下部板２８が連設されている。第２の下部板２８は、第１の下部板２６の下端縁２６ａに折曲部を位置させて、前記のシート材料が第１の下部板２６の内側に部分的に折り重なるように折り畳まれて第１の下部板２６に連設されている。これによって、
第２の下向きひだ２７の下方の位置に、マスク本体２０の横方向に延びる第２の下向きひだ２９が形成される。
【００１５】
　このように、
マスク本体２０はその横方向に延びる上向きひだ及び下向きひだを有している。前述の通り、上向きひだは１個形成されており、下向きひだは２個形成されている。
【００１６】
　マスク本体２０の左右両側部にはサイドシート３０がそれぞれ取り付けられている。サイドシート３０は、幅狭の短冊状の縦長シートをその縦中心線に沿って二つ折りしたものから構成されている。詳細には、縦中心線に沿ってＶ字状に二つ折りされた状態のサイドシート３０によってマスク本体２０の側部を挟み込み、該側部が挟み込まれた状態で、該側部とサイドシート３０とが接合されている。接合には例えばヒートシールによる融着、接着剤を用いた接着、縫合などが用いられる。図１には、断続的なヒートシール線３１によって、サイドシート３０によってマスク本体２０の側部とが接合されている状態が示されている。サイドシート３０は、該サイドシート３０によってマスク本体２０の側部のエッジを包み込むことで、該エッジが直接肌に触れることを防止するために用いられる。また、エッジ部分からの繊維の欠落、発塵を防止するために用いられる。また、サイドシート３０は、上向きひだ２５並びに第１の下向きひだ２７及び第２の下向きひだ２９を構成するシート材料の折り重なり部分を接合して、これらのひだの形態保持性を高めるために用いられる。
【００１７】
　マスク本体２０がシート材料を折り畳んで構成されていることは先に述べた通りであるが、該シート材料としては１枚のシートを用いてもよく、或いは複数枚のシートを積層して用いてもよい。複数枚のシートを用いることは、各シートに別個の機能を付与することで、マスク本体２０に種々の機能を付与することが容易になるという点で有利である。複数枚のシートを用いる場合には、シート間が全面接合されたラミネート状態で用いてもよく、或いはシート間が離間した状態で用いてもよい。本実施形態においては３枚のシートを重ね合わせて用いている。
【００１８】
　
マスク本体２０を構成するシート材料としては、通気性を有するものであればその種類に特に制限はない。
【００１９】
　図１に示すように、中心板２２には、その横中心線Ｌに沿って細幅で長手形状の弾性部材３２が取り付けられている。中心板２２の横中心線Ｌとは、中心板２２を上下に二等分する位置にある直線をいう。弾性部材３２の長さは、マスク本体２０の横幅よりも若干短くなっている。また、弾性部材３２の取付位置は、マスク本体２０の横中心線の位置とも一致している。マスク本体２０の横中心線とは、マスク本体２０を上下に二等分する位置にある直線をいう。弾性部材３２の取付位置をこのようにすることで、本実施形態のマスク１０を装着した場合、マスク本体２０の略カップ形状を効果的に維持することができる。弾性部材３２は、これをその幅方向に沿って折り曲げた場合に、曲げ回復性を有するものである。弾性部材３２としては、例えば合成樹脂製の薄板などを用いることができる。
【００２０】
　弾性部材３２はマスク本体２０の外側又は内側に取り付けることができる。マスク本体２０が複数枚のシートから構成されている場合には、シート間に挟持固定することもできる。本実施形態においては、最も外側に位置するシートと、そのすぐ内側に位置するシートとの間に弾性部材３２が配されている。両シートは、マスク本体の横方向に延びる断続的な２本のヒートシール線３３によって接合されており、この２本のヒートシール線３３の間に筒状の空間が形成されている。この筒状の空間内に弾性部材３２が配されている。 
【００２１】
　図１に示すように、
上部板２４の上端縁の近傍、即ちマスク本体２０の上端縁の近傍には、マスク本体２０の横方向に延びるノーズクランプ３４が取り付けられている。
ノーズクランプ３４は、マスク１０を装着した場合に、マスク本体２０の上端縁及びその近傍の部位が鼻の凹凸形状に沿うようにするために用いられる。
【００２２】
　ノーズクランプ３４はマスク本体２０の外側又は内側に取り付けることができる。マスク本体２０が複数枚のシートから構成されている場合には、シート間に挟持固定することもできる。本実施形態においては、最も外側に位置するシートと、そのすぐ内側に位置するシートとの間にノーズクランプ３４が配されている。両シートは、マスク本体の横方向に延びる断続的な２本のヒートシール線３５によって接合されており、この２本のヒートシール線３５の間に筒状の空間が形成されている。この筒状の空間内にノーズクランプ３４が配されている。
【００２３】
　先に説明したサイドシート３０とは別に、マスク本体２０の左右両側部には、マスクの縦方向に延びる一対の接合ライン３６が形成されている。接合ライン３６は連続又は不連続に形成することができる。本実施形態においては、図１に示すように、接合ライン３６は不連続に形成されている。各接合ライン３６は、マスク本体２０の縦中心線に向かって凸状形状になっている。同図においては、接合ライン３６滑らかに湾曲した曲線になっている。しかし、接合ライン３６の形状はこれに限られず、例えば「く」字状の直線でもよく、或いは曲線と直線とを組み合わせた凸状形状でもよい。各接合ライン３６は、マスク本体２０の縦中心線に関して対称な位置に、対称な形で形成されている。マスク本体２０の縦中心線とは、マスク本体２０を左右に二等分する位置にある直線をいう。
【００２４】
　各接合ライン３６は、中心板２２の上下に形成されている上向きひだ２５及び第１の下向きひだ２７を構成するシート材料の折り重なり部分を接合するように形成されている。更に各接合ライン３６は、第２の下向きひだ２９を構成するシート材料の折り重なり部分も接合するように形成されている。接合ライン３６は、例えばヒートシールによる融着、接着剤を用いた接着、縫合によって形成することができる。
【００２５】
　各接合ライン３６は、それらの湾曲の頂点を結ぶ仮想直線を考えた場合、その仮想直線の位置が、中心板２２の横中心線Ｌの位置と一致するように形成されている。更にその仮想直線の位置が、マスク本体２０の横中心線の位置と一致するように形成されている。
【００２６】
　以上の構成を有するマスク１０を装着するときには、マスク本体２０の上端縁及び下端縁を指で把持し、マスク本体２０を縦方向に引き伸ばす。これによって図３に示すように、マスク本体２０に形成されていた各ひだが引き伸ばされて、マスク本体２０は外側に凸状の略カップ形状に変形する。ここで、先に述べた説明から明らかなように、本実施形態においては、中心板２２の横中心線Ｌに対して、マスク本体２０の上側と下側とが非対称な形状になっている。詳細には、中心板２２の横中心線Ｌに対して、マスク本体２０の上側には上向きのひだが１個形成されているのに対して、マスク本体２０の上側には下向きのひだが２個形成されている。その結果、マスク本体２０を縦方向に引き伸ばしたときに、中心板２２の横中心線Ｌに対して下側の方が上側に比べて引き伸ばしの程度が大きくなる。その結果、略カップ形状の空間が大きく形成される。下側の引き伸ばしの程度が大きくなることは、凹凸の変化が激しい部位である口から顎にかけての部位を十分に被覆できる点から有利である。更に、引き伸ばしの程度が大きくなることで、着用者の顔のサイズに合わせてマスク本体２０の略カップ形状の大きさを調整しやすくなる。つまり、マスク本体２０のサイズ適応性が広くなるという利点がある。更に、マスク１０を装着する際に、マスク１０の上部板２４と下部板２８をそれぞれ指でつまみ上下に引き伸ばすと、略カップ形状の空間が常に外側に向かって凸状に形成され、空間の内側面が常に装着者の口元側に位置するようになる。従ってマスク１０を、その表裏面を間違えずに装着することができる。
【００２７】
　上述のように、本実施形態にマスク１０においては、中心板２２の横中心線Ｌに対してマスク本体２０の上側と下側とでひだの数が異なることで、中心板２２の横中心線Ｌに対して、マスク本体２０の上側と下側とが非対称な形状になっている。しかし、本発明にいう非対称な形状とはこのような場合に限られず、それ以外に例えば、（イ）中心板２２の横中心線Ｌに対して、マスクを装着する際の上側の引き伸ばしの程度と下側の引き伸ばしの程度が異なる場合、（ロ）中心板２２の横中心線Ｌに対して上側と下側のシート形状が異なる場合などがあげられる。中心板２２の横中心線Ｌに対して、マスク本体２０の上側と下側とが非対称な形状になっていることで、マスク１０を装着するときに着用者の口元に形成されるカップ形状の空間を十分に大きくすることができる。また、凹凸の変化が激しい部位である口から顎にかけての部位を十分に被覆することができる。更に、鼻の上部分におけるシートのだぶ付きをおさえることが可能となる。 
【００２８】
　図４には、本実施形態のマスク１０を装着した状態が示されている。マスク１０においては、マスク本体２０の中心板２２が、着用者の口及びその周囲を覆っている。また上部板２４が、着用者の鼻及びその周囲を覆っている。更に、第１の下部板２６及び第２の下部板２８が、着用者の顎及びその周囲を覆っている。中心板２２には、弾性部材３２が取り付けられているので、着用者の口と中心板２２との間に形成される空間が安定的に保持される。その結果、マスク１０の装着状態において着用者は呼吸をしやすく、また着用者の顔とマスクとの間の空間が蒸れにくくなる。
【００２９】
　更に特筆すべきは、マスク１０の装着状態において、マスク本体２０の左右両側部に形成された湾曲形状の接合ライン３６が、着用者の頬骨の形状に沿うことである。これによって、マスク本体２０が着用者の頬へ一層フィットしやすくなる。その結果、マスクと顔の間に隙間が一層生じづらくなり、花粉や埃などの微小粒子の吸入を効果的に阻止できる。特に、各接合ライン３６の湾曲の頂点を結ぶ仮想直線の位置が、中心板２２の横中心線Ｌの位置と一致する場合には、接合ライン３６が、着用者の頬骨の形状に一層沿いやすくなる。同様に、仮想直線の位置が、マスク本体２０の横中心線の位置と一致する場合にも、接合ライン３６が、着用者の頬骨の形状に一層沿いやすくなる。
【００３０】
　接合ライン３６を着用者の頬骨の形状に効果的に沿わせるためには、該接合ライン３６が、マスク本体２０を構成するシート材料の折りの起点となるように形成されていることが好ましい。この観点から、接合ライン３６はヒートシールによる融着で形成されていることが好ましい。」（段落【００１１】ないし【００３０】）
　　
（４）甲第４号証の記載
　甲第４号証には、「マスク」に関して、図面とともに概ね次の記載がある（以下、「甲第４号証の記載」という。）。 
 　 
・「【００２６】
　以下、本発明の実施形態について添付図面を参考に説明する。図１は本発明に係るマスクの平面図、図２は口当てシート部の折り畳み状態を示した概略断面図、図３は斜視図、図４は使用状態斜視図を示している。
【００２７】
　図中１はマスク本体であり、この
マスク本体１は、口当てシート部２と、口当てシート２の左右両側部に固着される耳掛け部材３，３からなっている。
【００２８】
　口当てシート部２は、図５に示すように、ここでは表面層２ａ、第１中間層２ｂ，第２中間層２ｃ及び裏面層２ｄ（口当て側）の四層構造である。各層はポリプロピレン、ポリエチレン等の熱可塑性合成樹脂の不織布で構成されており、各層の目的に応じてスパンポンド、メルトブロー等の各種製法の不織布が使用される。なお、第２中間層２ｃには、抗菌性不織布を使用している。
【００２９】
　また
口当てシート部２は、プリーツ状に折り畳まれている。
【００３０】
　このような口当てシート部２は、周囲が溶着され、四層構造の不織布が固定される。即ち、口当てシート部２の左右両側部は、シート部側端縁部２ｆ，２ｆから内側に寄った位置が所定幅で帯状溶着され、側部溶着部４ａ，４ａが形成されている。また、口当てシート部２の上端部および下端部は、上下２条の点溶着により、上端縁溶着部４ｂ及び下端縁溶着部４ｃが形成されている。
【００３１】
　口当てシート部２の側端縁部２ｆ，２ｆの中央部には、応力逃げ部となるＶ字状の切込部５，５が形成されている。この切込部５，５は、Ｖ字先端部が側部溶着部４ａ，４ａの幅長の途中まで切り込まれている。
【００３２】
　また、口当てシート部２の両側部の上下端部には、耳掛け部材３，３の両端部が溶着部３ａにおいて固定されている。耳掛け部材３，３は、ここではゴム材が使用される。さらに、上下２条の上端縁溶着部４ｂ，４ｂの間には、
可撓性プラスチック等の保形帯部材６が挿入保持されている。ここでは、図２に示すように、口当てシート部２の上端部を折り曲げて、その空間部に保形帯部材６を挿入している。
【００３３】
　次に、上述したマスクの使用例を説明する。図３及び図４に示すように、
プリーツ状となっている口当てシート部２を上下方向に広げると、折り畳んだ第１段面部２ｙ，２ｙと第２段面部２ｚ，２ｚが前方に膨らむように押し広けられる。
保形帯部材６を鼻の形状に沿わせて変形させる。
【００３４】
　この状態で、マスク本体１の左右側部には、耳掛け部材３，３の引張力も相俟って撓み応力（口当てシート部の側部が前方に膨らもうとする応力）が生じるが、その応力は切込部５，５で吸収される。即ち、切込部５，５の上下辺が接触または近接するように閉じた状態となる。
【００３５】
　このため、マスク本体１の左右側部は、装着者の顔面頬部に密着し、その部分からの粉塵等の侵入を防止することができる。また、
保形帯部材６により鼻近辺の密着性が確保できる
　
（５）甲第５号証の記載
　甲第５号証には、「マスク」に関して、図面とともに概ね次の記載がある（以下、「甲第５号証の記載」という。）。
　　
・「【０００９】
【実施例】図１は、この発明のマスクの一実施例を示している。この実施例では、上記マスクは、
マスク本体１０
マスク本体１０は、合成繊維で形成された濾過効果を有する不織布で形成されており
マスク本体１０の上側に位置するかがり部２３ａには、その上下の融着部１５の隙間に形成された横方向に延びる袋状部分に、マスク本体の横幅よりも少し短く形成された折り曲げ自在な金属製の帯状ワイヤ１３が装入されている。
耳かけ用のゴム紐１２が取り付けられている。
【００１０】上記透明板１１は、合成樹脂製で可撓性を有する薄板状に形成されており、図３に示すように、正面視略四角形でその下端辺がゆるやかな凹曲状に形成され、この下端辺の中央部には、切れ込み部１６が形成されている。また、上記透明板１１の表面は、防曇処理が施されている。そして、この透明板１１は、その左右両端の下端部が、上記マスク本体の上側の左右両端部分と熱融着によって固定されている。図において１７は融着部である。
【００１１】このようなマスクは、例えばつぎのようにして使用することができる。すなわち、まず、マスク本体１０を透明板１１が上側に位置させる状態で顔面前部に配置し、上記透明板１１の切れ込み部１６を鼻梁に位置決めし、濾過部分１８で鼻口を被覆する。つぎに、左右両側のゴム紐１２を両耳の後側に引っかけて顔面に装着し、その状態で、
マスク本体１０の上縁部の帯状ワイヤ１３を前側から押圧して折り曲げ、鼻梁から頬桁にかけての顔面の凹凸に沿わせてマスク本体１０と顔面との間の隙間をなくす。
【００１２】このように、上記マスクでは、マスク本体１０を濾過効果を有する不織布で形成しているため、この不織布が細かな塵埃まで濾過し、この塵埃を体内に吸収することがない。また、この
マスク本体１０の中央部には、横方向に延びる折り返し部１４を３個所形成しているため
【００１３】また、上記マスクでは、濾過部分１８を３層の不織布で構成し、第２層不織布２１を第１層不織布２２よりも緻密に形成しているため、上記第２層不織布２１に煤煙やすす等のさらに細かな塵埃が捕集されるようになる。さらにこの場合には、表面側に配置した第１層不織布２２に比較的大きな塵埃が捕集されるため、緻密な第２層不織布２１の早期の目詰まりを防ぐことができる。また、第３層不織布２０に抗菌防臭性を付与しているため、着用中に濾過部分１８に付着する唾液等に細菌が繁殖したり、悪臭を放ったりするようなことがなく、衛生的で使い心地がよい。また、上記マスク本体１０の上縁部に帯状ワイヤ１３を取付けているため、
マスクを着用した状態で上記帯状ワイヤ１３を折り曲げることにより、マスク本体１０の上縁部を鼻梁から頬桁にかけての顔面の凹凸に沿わせることができる。このため、マスク本体１０と顔面との間に隙間が殆ど出きず
【００１４】図４はこの発明の他の実施例を示している。この実施例では、透明板１１が、その左右両側辺をそれぞれ横方向に凸状に延ばした形状に形成されている。これにより、マスク着用時に、上記透明板１１が眼部の前面だけでなく左右両側面にも位置するようになる。したがって、横方向から塵埃が飛び込んで眼に入るようなことがなくなるため、眼部の保護が一層強化される。それ以外の部分については、図３と同様であり、同様の部分には同じ符号を付している。
【００１５】
【発明の効果】以上のように、この発明のマスクは、マスク本体の不織布が細かな塵埃まで濾過し、この塵埃を体内に吸収することがない。また、上記不織布がこの折り返し部で襞を形成し、外気が濾過される際、それに含まれる塵埃が上記襞部に集中的に捕集され、濾過効果が高くなる。しかも、襞を形成した分だけ濾過に寄与する不織布の表面積が大きくなるため、塵埃等の捕集効果がさらに高くなるとともに、目詰まりもし難くなり、呼吸がし難くなるようなことがない。さらに、顔面に着用する際に上記複数条の折り返し部の折り目を広げ、マスク本体の裏面側の中央部に凹部を形成し、マスク着用時に唇や鼻頭等の突出した部分を上記凹部に収容することができる。このようにすることにより、
マスクを装着したまま喋る等して口を動かした場合にもマスク本体がずれることがなくなる。
　　
（６）甲第６号証の記載
　甲第６号証には、「マスク」に関して、図面とともに概ね次の記載がある（以下、「甲第６号証の記載」という。）。
　　
・「【００１０】
　以下に図面を参照して本考案の一実施形態について説明する。
　図１は、本考案の一実施形態に係るマスクの使用時における外観斜視図であり、図２は、その外側表面図、図３は、その内側表面図、図４は、図１のＡ−Ａ線での部分切欠断面図である。
　これらの図において、
マスク１は、被覆部２と、紐状耳掛部３とからなる。
　
被覆部２は、マスク１の装着者（以下単に、「装着者」という）の鼻及び口を覆う部分であり、長方形状の不織布層４と、鼻ワイヤー５ａ及び口ワイヤー５ｂからなる。
【００１１】
　そして、被覆部２の外表面側（外気にあたる側）の中心部（マスク１の水平鉛直方向の両中心線及びその近傍付近）には、
左右方向（装着者がマスクを装着したときに顔の横方向に沿った方向）に沿ってボックスプリーツ６ａが形成されるとともに、ボックスプリーツ６ａの両側には外表面側プリーツ６ｂが形成されている。
【００１２】
　
被覆部２を構成する不織布層４は、図４に示したように、三層からなり、外表面側から順番に、不織布４ａ、不織布４ｂ、不織布４ｃで示される。
　被覆部２の鼻隆起部分（マスクの装着者の顔の鼻がある部分の盛り上がったところ）に相当する上端縁付近で不織布４ａ及び４ｃは折り返されている。上端縁付近では、不織布４ｂは、折り返されないか折り返しがあったとしてもごくわずかである。また、被覆部２の顎部分（マスクの装着者の顔の顎があるところ）に相当する下端縁付近で不織布４ａ、４ｂ、４ｃは折り返されている。
　マスク１の未使用状態では、マスク１は、ボックスプリーツ６ａ及び外表面側プリーツ６ｂが折り畳まれた状態であり、マスク１は、平面形状の物として扱うことができる。
【００１３】
　
鼻ワイヤー５ａは、鼻隆起部分の不織布層４に介装される。
　口ワイヤー５ｂは、ボックスプリーツ６ａを構成する部分に当たる不織布４ａと不織布４ｂとの間に介装されている。
　鼻ワイヤー５ａ及び口ワイヤー５ｂは、可撓性の板状部材であり、高分子樹脂から形成されるが、可撓性であれば特にその材質は限定されず、紙製、木製、金属製等種々の材質を適用できる。
鼻ワイヤー５ａは、マスク１が容易にずれたりしないようにする
【００１４】
　紐状耳掛部３は、二本のウイリーゴムからなる紐状の耳掛け部である。紐状耳掛部３は、被覆部２の左右両側端縁（装着者の顔面両側縁）に、右耳用及び左耳用それぞれ別個に接合されてループを形成する。
【００１５】
　接合不織布７は、被覆部２の一部を構成するものであり、所定のプリーツが形成されるとともに、鼻ワイヤー５ａ及び口ワイヤー５ｂが介装された不織布４ａ、４ｂ、４ｃの左右両側端縁に沿って、これらを包み込む。接合不織布７は、これらを間に挟んで包み込んだ状態で、その上下から熱融着により接合される。接合不織布７の外表面側には、紐状耳掛部３が熱融着により接合される。
【００１６】
　次に、本考案の一実施形態に係るマスクの製造方法について説明する。
（１）材料の準備
　マスク１の材料として、所定の大きさに裁断した不織布４ａ、４ｂ、４ｃ、接合不織布７、所定の大きさに成形したプラスチック製の鼻ワイヤー５ａ、口ワイヤー５ｂ、及び、二本の紐状耳掛部３として二本のウイリーゴムを準備する。
【００１７】
（２）被覆部製作
　不織布４ａ、４ｂ、４ｃを重ね合わせてボックスプリーツ６ａ及び外表面側プリーツ６ｂをつける。次に、不織布４ａと不織布４ｂとの間に口ワイヤー５ｂを介装し、口ワイヤー５ｂの両側に沿って熱融着を行い、口ワイヤー５ｂの位置決めを行い、必要以上にずれないようにする。次に、不織布４ａの外表面側に鼻ワイヤー５ａを載せた状態で、不織布４ａ及び４ｃの上端縁を折り目をつけて折り返して、その鼻ワイヤー５ａを包む。そして、鼻ワイヤー５ａの両側に沿って熱融着を行い、鼻ワイヤー５ａの位置決めを行い、必要以上にずれないようにする。更に、不織布４ａ、４ｂ、４ｃの下端縁に折り目をつけて、これらを折り返す。そして、折り返したところに、左右方向に沿って熱融着を行う。次に、接合不織布７でボックスプリーツ６ａや外表面側プリーツ６ｂが形成された被覆部２の左右両側端縁を挟み込んで包み、高い温度と圧力をかけて、これらを熱融着させる。これにより、被覆部２が完成する。
【００１８】
（３）紐状耳掛部３の取り付け
　接合不織布７の内表面側に紐状耳掛部３の端部を当てて、これを接合不織布７に熱融着させる。これにより、マスク１が完成する。
　なお、マスク１の製造方法は、特に限定されない。例えば、鼻ワイヤー５ａや口ワイヤー５ｂの介装は熱融着の前後のいずれでもかまわない。不織布４ａ、４ｂ、４ｃの上下端縁については、折り返しを設けても設けなくても良く、鼻ワイヤー５ａや口ワイヤー５ｂを介装する層も限定されず、どの層に介装してもよい。
【００１９】
　次に、本考案の一実施形態に係るマスクの作用について説明する。
　まず、マスク１の不使用時における作用について説明する。
　マスク１は、不織布製であるため、軽くて携帯しやすく、使い捨てができる。マスク１の不使用時においては、ボックスプリーツ６ａと外表面側プリーツ６ｂとが閉じた状態、すなわち、折り畳まれた状態であるため、被覆部２は、平面形状の物として取り扱うことができる。従って、マスク１は、携帯しやすいし、複数のマスクを重ね合わせて箱に入れることができ、便利である。
【００２０】
　次に、マスク１の使用時における作用について説明する。
　マスク１は、ボックスプリーツ６ａ及び外表面側プリーツ６ｂが形成されているため、装着者がマスクをかけるとそのひだが開き、開いたところにできる空間を包む被覆部２の部分が装着者の鼻や口にあてがわれる。そのため、マスク１が鼻腔や口中央部に常時直接当たることはない。従って、装着者は息がしやすく、話もしやすく、心地よくマスク１を装着することができる。また、ボックスプリーツ６ａや外表面側プリーツ６ｂが開くため、装着者の顔の広い部分を覆うことができる。
　また、
鼻ワイヤー５ａが装着者の鼻の隆起部分にかかるため、マスク１がそこでひっかかり、簡単にずれることはない。
　　
（７）甲第７号証の記載
　甲第７号証には、「マスク」に関して、図面とともに概ね次の記載がある（以下、まとめて、「甲第７号証の記載」という。）。
　
・「【００１１】
　中心パネル２２の下端縁２２ｂには、前記のシート材料の一部から構成される第２パネル２６が連設されている。第２パネル２６は、中心パネル２２の下端縁２２ｂに折曲部を位置させて、前記のシート材料が中心パネル２２の内側に折り返されて中心パネル２４に連設されている。これによって、中心パネル２２の内側の下側半分が第２パネル２６に被覆される。第２パネル２６は、中心パネル２２の下端縁２２ｂと同一位置にある第１の端縁２６ａと、自由端縁になっていると共に、第１パネル２４の自由端縁２４ｂと対向する第２の端縁２６ｂとを有している。各端縁２６ａ，２６ｂはそれぞれ横方向に延びている。」（段落【００１１】）
　
・「【００１３】
　マスク本体２０の左右両側部にはサイドシート３０がそれぞれ取り付けられている。サイドシート３０は、幅狭の短冊状の縦長シートをその縦中心線に沿って二つ折りしたものから構成されている。詳細には、縦中心線に沿ってＶ字状に二つ折りされた状態のサイドシート３０によってマスク本体２０の側部を挟み込み、該側部が挟み込まれた状態で、該側部とサイドシート３０とが接合されている。接合には例えばヒートシールによる融着、接着剤を用いた接着、縫合などが用いられる。図１には、断続的なヒートシール線３１によって、サイドシート３０によってマスク本体２０の側部とが接合されている状態が示されている。サイドシート３０は、該サイドシート３０によってマスク本体２０の側部のエッジを包み込むことで、該エッジが直接肌に触れることを防止するために用いられる。また、エッジ部分からの繊維の欠落、発塵を防止するために用いられる。また、サイドシート３０は、互いに重なり合った中心パネル２２と第１パネル２４、及び互いに重なり合った中心パネル２２と第２パネル２６を接合して、マスク本体２０の側部におけるシート材料のばたつきを防止している。」（段落【００１３】）
　　
・「【００２１】 
　図３には、以上の構成を有するマスク１０を装着するときの状態が示されている。同図は、マスク１０をその内側から（即ち図１とは反対側から）みた図である。図３に示すように、マスク本体２０における第１パネル２４の自由端縁２４ｂ及び第２パネル２６の自由端縁２６ｂを指で把持し、マスク本体２０を縦方向に引き伸ばす。これによって同図に示すように、第１パネル２４における一対の第１接合ライン２７ａ，２７ｂ間に位置する部位が引き伸ばされる。同様に、第２パネル２６における一対の第２接合ライン２８ａ，２８ｂ間に位置する部位が引き伸ばされる。その結果、マスク本体２０は外側に凸状の略カップ形状に変形する。各パネル２４，２６の引き伸ばしの程度を調整することで、着用者の顔のサイズに合わせてマスク本体２０の略カップ形状の大きさを調整できる。つまり、マスク本体２０のサイズ適応性が広くなる。更に、マスク１０を装着する際に、第１パネル２４の自由端縁２４ｂ及び第２パネル２６の自由端縁２６ｂをそれぞれ指でつまみ上下に引き伸ばすと、略カップ形状の空間が常に外側に向かって凸状に形成され、空間の内側面が常に装着者の口元側に位置するようになる。従ってマスク１０を、その表裏面を間違えずに装着することができる。」（段落【００２１】）
　　
・「【００２２】
　図４には、本実施形態のマスク１０を装着した状態が示されている。マスク１０においては、マスク本体２０の中心パネル２２が、着用者の口及びその周囲を覆っている。また第１パネル２４が、着用者の鼻及びその周囲を覆っている。更に、
第２パネル２６が、着用者の下顎及びその周囲を覆っている。
　　
・図２から、「素材の下端部の内側への折り返しにより形成された、上方に向って開いた凹部」が看取される。
　　
（８）甲第８号証の記載
　甲第８号証には、「FILTER MASK」に関して、図面とともに概ね次の記載がある（以下、まとめて、「甲第８号証の記載」という。）。
 　 
・「the reverse pleat serves the important function of forming a pocket-like recess for holding the mask on the lower jaw and around the chin area. As indicated by the arrow marked R in FIG. 1A, the reverse pleat, designated 24 in FIG. 1B, is created by folding approximately one inch of the bottom portion of filter material 14. 」（第９欄第４６ないし５２行）（翻訳：
反転したプリーツは、下顎とその周囲にマスクを被せて保持するポケットのような凹所を形成すると云う重要な機能を果たしている。
　
・「As shown best in FIG. 1B, the reverse pleat is formed by folding the bottom edge 30 toward the inner surface of filter material 14 such that the side edges 28 and 32 are folded back upon themselves at the lowermost portion thereof, and are then secured by heat activated tape along the depth D.」（第１０欄第１ないし６行）（翻訳：図１Ｂに示されているように、反転プリーツは、側部エッヂ２８及び３２の最下端部が折り返されるように、底部エッヂ３０をフィルター部材１４の内面側に向って折り重ねて形成され、更に当該両側部エッヂは熱接着性テープにより、Ｄの深さに沿って固定されている。）
　　
・「it can also be seen that reverse pleat 24 allows the creation of a pocket-like shape by which the inner surface of the filter material is held tightly against the lower jaw area of the wearer. 」（第１０欄第４５ないし４８行）（翻訳：
反転したプリーツ２４は、フィルター部材の内部表面が装着者の顎部をしっかりと保持するポケット状形状の形成をもたらす。
　　
・ＦＩＧ．１ないしＦＩＧ．３から、素材の下端部の折り返しにより形成された、上方に向って開いた凹部が看取される。
　　
（９）甲第９号証の記載
　甲第９号証には、概ね次の記載がある（以下、「甲第９号証の記載」という。）。
　　
・「Respirator　Details」（翻訳：マスクの詳細）の欄には、「Schedule 84A」（翻訳：計画84A）、「Approval # 0457」（翻訳：承認番号# 0457）、「Approval Date 5/22/1996」（翻訳：承認日 5/22/1996），「Product Line MAS695」（翻訳：製品種別 MAS695」と記載されている。
 　　 
（１０）甲第１０号証の記載
　甲第１０号証には、写真とともに概ね次の記載がある（以下、まとめて、「甲第１０号証の記載」という。）。
　　
・「TC-84A-0457, Protection1 N-95, Respirator# 695」（第２頁右欄中程）（翻訳：TC-84A-0457, Protection1 N-95,マスク# 695)
　　
・第２ページ左欄には、マスクの装着方法を示す１．ないし８．の計８枚の写真が掲載されていると共に、当該各写真の下部には、次のとおりマスクの装着方法が記載されている（以下、翻訳文を示す。）。
　「１．一方の手でマスク上部のノーズピース部をつかむ。他方の手の指をチンピース部のうしろ側にスライドさせる。
２．チンピース部を引き下げつつ出して、マスクが十分に拡開するまで広げる。マスクを十分に拡開することは重要である。
３．
形成されたポケット部にあごを入れる。
４．Ｍａｇｉｃ　Ａｒｃｈ　○Ｒ（当審注：Ｒを○で囲んだ記号で、登録商標であることを示すものである。）を鼻及び口から十分に伸ばして、ノーズピース部を鼻及び顔の輪郭に合せる。
５．ノーズピース部でマスクを保持し、１本の指を展性のあるアルミニウム製のチンピース部の上からマスクの内側に入れ、徐々に引き下げてマスクを顔にぴったり合せる。
６．あごの下の余分な部分は、はさんで締めつけたり、折り曲げたり、あるいは、より合せる。
７．顔へのフィット状態のチェック：フィット状態をチェックするために、両手をマスクのエッヂに沿って置き、息を吐き出す。もし、空気が鼻の回りから逃げるのであれば、ノーズピース部を調整する。もし、空気がマスクのエッヂから漏れ出るのであれば、チンピース部の折り曲げやよりを戻して、ステップ５．及び６．を繰り返す。
８．Ｎ９５マスクは、顔に完全にフィットする。」
　　
（１１）甲第１１号証の記載
　甲第１１号証には、概ね次の記載がある（以下、まとめて、「甲第１１号証の記載」という。）。
　　
・「Performance Testing Data for 21 N95 Filtering Facepiece Respirators for 25 Persons,1996」（第３ページ第１及び２行）（翻訳：１９９６年、２１種類のＮ９５顔用フィルターマスクについて２５名で行なった試験データ）
　　
・第３ページの表中に「Alpha Protect MAS695」と記載されている。
　　
２　甲１発明及び構成Ａ発明
（１）甲１発明
　甲第１号証の記載及び図面を整理すると、甲第１号証には、次の発明（以下、「甲１発明」という。）が記載されていると認める。
　　
　「柔軟性多孔質フィルター部２からなり、口と鼻とを覆う覆い部と、その覆い部の両側部から延び出して耳に掛けられる２つの耳掛け部とを含む細菌フィルターマスク１であって、
　前記覆い部が、四角形の柔軟性多孔質フィルター部２に横方向に延びる複数のヒダ３２が形成されるとともに各ヒダ３２の両端部においてヒダ３２の側壁同士が接合されて伸びない側縁部とされ、かつ、上端１０に沿って横方向に延びる上縁部を含み、その上縁部に着用者の鼻部分の支持を調整可能にする支持部材１４が設けられる一方、下端部に着用者のあごを入れるためのポーチ３０を備え、そのポーチ３０は、四角形の柔軟性多孔質フィルター部２の下端部が内側に折り返されるとともに、その折り返された部分の両側縁部の少なくとも各折返し点に隣接する部分がそれら両側縁部と対向する部分に接合される一方、その折り返された部分の横方向に平行な端縁部はその端縁部に対向する部分に接合されず、それら折り返された部分とその折り返された部分に対向する部分とによって、前記覆い部の内側に上方に向かって開いた凹部が形成されて成り、その凹部が着用者のあごを入れるためのポーチ３０として機能するものである細菌フィルターマスク１。」
　　
（２）構成Ａ発明
ア　甲２発明
　甲第２号証の記載及び図面を整理すると、甲第２号証には、次の発明（以下、「甲２発明」という。）が記載されていると認める。
　
　「不織布から成り、口と鼻とを覆うマスク本体１と、そのマスク本体の両側縁２から延び出して耳に掛けられる２つの耳掛け部３とを含むマスク９であって、
　前記マスク本体１が、四角形の前記不織布に横方向に延びる複数の折り返し部１４が形成されるとともに各折り返し部１４の両端部において押し返し部１４の側壁同士が接合されて伸びない側縁部とされ、かつ、上縁４に沿って横方向に延びる上縁４近傍を含み、その上縁４近傍に当該マスク９の着用者の鼻頭の形状に沿って曲がることにより、装着者の顔面にフィットして、マスク９のずれを防止する塩ビ被覆ワイヤー５が設けられるマスク９。」
　　
　そして、本件特許発明１と甲２発明を対比するに、甲２発明における「不織布」は、その機能、構成及び技術的意義からみて、本件特許発明１における「通気性を有する素材」に相当し、以下、同様に、「マスク本体１」は「覆い部」に、「両側縁２」は「両側部」に、「耳掛け部３」は「耳掛部」に、「マスク９」は「マスク」に、「折り返し部１４」は「ヒダ」に、「上縁４」は「上端縁」に、「上縁４近傍」は「上縁部」に、「着用者」は「装着者」に、「鼻頭の形状に沿って曲がることにより、装着者の顔面にフィットして、マスク９のずれを防止する塩ビ被覆ワイヤー５」は「鼻に係合することによりその上縁部が下方へずれることを防止する下ずれ防止部」に、それぞれ、相当する。
　　
　したがって、甲第２号証には、次の発明（以下、「構成Ａ発明」という。）が記載されていると認める。
　
　「通気性を有する素材から成り、口と鼻とを覆う覆い部と、その覆い部の両側部から延び出して耳に掛けられる２つの耳掛部とを含むマスクであって、
　前記覆い部が、四角形の前記素材に横方向に延びる複数のヒダが形成されるとともに各ヒダの両端部においてヒダの側壁同士が接合されて伸びない側縁部とされ、かつ、上端縁に沿って横方向に延びる上縁部を含み、その上縁部に当該マスクの装着者の鼻に係合することによりその上縁部が下方へずれることを防止する下ずれ防止部が設けられるマスク。」
　
イ　甲３発明
　甲第３号証の記載及び図面を整理すると、甲第３号証には、次の発明（以下、「甲３発明」という。）が記載されていると認める。
　　
　「通気性を有するシート材料から成り、口と鼻とを覆うマスク本体２０と、そのマスク本体２０の両側部から延び出して耳に掛けられる２つの耳掛け紐２１とを含むマスク１０であって、
　前記マスク本体２０が、四角形の前記シート材料に横方向に延びる複数のひだ２５、２７、２９が形成されるとともに各ひだ２５、２７、２９の両端部においてひだ２５、２７、２９の側壁同士が接合されて伸びない側縁部とされ、かつ、上端縁に沿って横方向に延びる上端縁の近傍を含み、その上端縁の近傍に当該マスク１０を装着した場合に鼻の凹凸形状に沿うようにするノーズクランプ３４が設けられるマスク１０。」
　　
　そして、本件特許発明１と甲３発明を対比するに、甲３発明における「通気性を有するシート材料」は、その機能、構成及び技術的意義からみて、本件特許発明１における「通気性を有する素材」に相当し、以下、同様に、「マスク本体２０」は「覆い部」に、「耳掛け紐２１」は「耳掛部」に、「マスク１０」は「マスク」に、「ひだ２５、２７、２９」は「ヒダ」に、「上縁縁の近傍」は「上縁部」に、「マスク１０を装着した場合に鼻の凹凸形状に沿うようにするノーズクランプ３４」は「マスクの装着者の鼻に係合することによりその上縁部が下方へずれることを防止する下ずれ防止部」に、それぞれ、相当する。
　　
　したがって、甲第３号証には、甲第２号証と同様の構成Ａ発明が記載されていると認める。
　　
ウ　甲４発明
　甲第４号証の記載及び図面を整理すると、甲第４号証には、次の発明（以下、「甲４発明」という。）が記載されていると認める。
　　
　「不織布から成り、口と鼻を覆う口当てシート部２と、その口当てシート部の両側部から延びだして耳に掛けられる２つの耳掛け部材３，３とを含むマスクであって、
　前記口当てシート部２が、四角形の前記不織布に横方向に延びる複数のプリーツ状に折り畳まれた部分が形成されるとともに各プリーツ状に折り畳まれた部分の両端部においてプリーツ状に折り畳まれた部分の側壁同士が接合されて伸びない側縁部とされ、かつ、上端縁に沿って横方向に延びる上縁部を含み、その上縁部に当該マスクの装着者の鼻の形状に沿わせて変形させることにより鼻近辺の密着性が確保できる保形帯部材６が設けられるマスク。」
　
　そして、本件特許発明１と甲４発明を対比するに、甲４発明における「不織布」は、その機能、構成及び技術的意義からみて、本件特許発明１における「通気性を有する素材」に相当し、以下、同様に、「口当てシート部２」は「覆い部」に、「耳掛け部材３，３」は「耳掛部」に、「プリーツ状に折り畳まれた部分」は「ヒダ」に、「マスクの装着者の鼻の形状に沿わせて変形させることにより鼻近辺の密着性が確保できる保形帯部材６」は「マスクの装着者の鼻に係合することによりその上縁部が下方へずれることを防止する下ずれ防止部」に、それぞれ、相当する。
　
　したがって、甲第４号証には、甲第２号証と同様の構成Ａ発明が記載されていると認める。
　　
エ　甲５発明
　甲第５号証の記載及び図面を整理すると、甲第５号証には、次の発明（以下、「甲５発明」という。）が記載されていると認める。
　　
　「不織布から成り、口と鼻を覆うマスク本体１０と、そのマスク本体の両耳部から延びだして耳に掛けられる２つのゴム紐１２とを含むマスクであって、
　前記マスク本体１０が、四角形の前記不織布に横方向に延びる複数の折り返し部１４が形成されるとともに各折り返し部１４の両端部において折り返し部の側壁同士が接合されて伸びない側縁部とされ、かつ、上端縁に沿って横方向に延びる上縁部を含み、その上縁部に当該マスクの装着時に鼻梁から頬桁にかけて顔面の凹凸に沿わせてマスク本体１０と顔面との間の隙間をなくすように折り曲げられる帯状ワイヤ１３が設けられるマスク。」
　　
　そして、本件特許発明１と甲５発明を対比するに、甲５発明における「不織布」は、その機能、構成及び技術的意義からみて、本件特許発明１における「通気性を有する素材」に相当し、以下、同様に、「マスク本体１０」は「覆い部」に、「両耳部」は「両側部」に、「ゴム紐１２」は「耳掛部」に、「折り返し部１４」は「ヒダ」に、「マスクの装着時に鼻梁から頬桁にかけて顔面の凹凸に沿わせてマスク本体１０と顔面との間の隙間をなくすように折り曲げられる帯状ワイヤ１３」は「マスクの装着者の鼻に係合することによりその上縁部が下方へずれることを防止する下ずれ防止部」に、それぞれ、相当する。
　　
　したがって、甲第５号証には、甲第２号証と同様の構成Ａ発明が記載されていると認める。
　　
オ　甲６発明
　甲第６号証の記載及び図面を整理すると、甲第６号証には、次の発明（以下、「甲６発明」という。）が記載されていると認める。
　　
　「不織布層４から成り、口と鼻を覆う被覆部２と、その被覆部２の左右両側端縁から延びだして耳に掛けられる２つの紐状耳掛部３とを含むマスク１であって、
　前記被覆部２が、四角形の前記不織布に横方向に延びる複数のプリーツ６ａ、６ｂが形成されるとともに各プリーツ６ａ、６ｂの両端部においてプリーツ６ａ、６ｂの側壁同士が接合されて伸びない側縁部とされ、かつ、上端縁に沿って横方向に延びる上縁部を含み、その上縁部に当該マスク１の装着者の鼻の隆起部分にかかり容易にずれないようにするための鼻ワイヤー５ａが設けられるマスク１。」
　
　そして、本件特許発明１と甲６発明を対比するに、甲６発明における「不織布層４」は、その機能、構成及び技術的意義からみて、本件特許発明１における「通気性を有する素材」に相当し、以下、同様に、「被覆部２」は「覆い部」に、「左右両側端縁」は「両側部」に、「紐状耳掛部３」は「耳掛部」に、「プリーツ６ａ、６ｂ」は「ヒダ」に、「マスク１の装着者の鼻の隆起部分にかかり容易にずれないようにするための鼻ワイヤー５ａ」は「マスクの装着者の鼻に係合することによりその上縁部が下方へずれることを防止する下ずれ防止部」に、それぞれ、相当する。
　　
　したがって、甲第６号証には、甲第２号証と同様の構成Ａ発明が記載されていると認める。
　
３　無効理由について
（１）本件特許発明１について
ア　甲第１号証を主引用文献とした場合
　本件特許発明１と甲１発明を対比するに、甲１発明における「柔軟性多孔質フィルター部２」は、その機能、構成及び技術的意義からみて、本件特許発明１における「通気性を有する素材」に相当し、以下、同様に、「耳掛け部」は「耳掛部」に、「細菌フィルターマスク１」は「マスク」に、「ヒダ３２」は「ヒダ」に、「上端１０」は「上端縁」に、それぞれ、相当する。　また、甲１発明における「着用者の鼻部分の支持を調整可能にする支持部材１４」は、甲第１号証の記載又は甲第２ないし６号証の記載からみて、下ずれ防止機能を有することは明らかであるから、本件特許発明１における「マスクの装着者の鼻に係合することによりその上縁部が下方へずれることを防止する下ずれ防止部」に相当する。
　さらに、甲１発明における「着用者のあごを入れるためのポーチ３０を備え、そのポーチ３０は、四角形の柔軟性多孔質フィルター部２の下端部が内側に折り返されるとともに、その折り返された部分の両側縁部の少なくとも各折返し点に隣接する部分がそれら両側縁部と対向する部分に接合される一方、その折り返された部分の横方向に平行な端縁部はその端縁部に対向する部分に接合されず、それら折り返された部分とその折り返された部分に対向する部分とによって、前記覆い部の内側に上方に向かって開いた凹部が形成されて成り、その凹部が着用者のあごを入れるためのポーチ３０として機能するものである」は、甲第１号証の記載又は甲第２ないし６号証の記載からみて、上ずれ防止機能を有することは明らかであるから、本件特許発明１における「下端部が上方にずれることを防止する上ずれ防止部を備え、その上ずれ防止部が、前記四角形の素材の下端部が内側へ折り返されるとともに、その折り返された部分の両側縁部の少なくとも各折返し点に隣接する部分がそれら両側縁部と対向する部分に接合される一方、その折り返された部分の横方向に平行な端縁部はその端縁部に対向する部分に接合されず、それら折り返された部分とその折り返された部分に対向する部分とによって、前記覆い部の内側に上方に向かって開いた凹部が形成されて成り、その凹部が当該マスクの装着者の顎に掛かって前記上ずれ防止部として機能するものである」に相当する。
　
　したがって、本件特許発明１と甲１発明の間に相違点はなく、本件特許発明１は甲１発明であるし、仮に、本件特許発明１が甲１発明でないとしても、本件特許発明１は、甲１発明に基づいて、当業者が容易に発明をすることができたものである。
　よって、本件特許発明１は、特許法第２９条第１項第３号に該当し、又は特許法第２９条第２項の規定により、特許を受けることができない。
　
イ　甲第２ないし６号証の何れかを主引用文献とした場合
　本件特許発明１と甲第２ないし６号証の何れにも記載されている発明である構成Ａ発明を対比するに、両者は、次の点で一致する。
　
　「通気性を有する素材から成り、口と鼻とを覆う覆い部と、その覆い部の両側部から延び出して耳に掛けられる２つの耳掛部とを含むマスクであって、
　前記覆い部が、四角形の前記素材に横方向に延びる複数のヒダが形成されるとともに各ヒダの両端部においてヒダの側壁同士が接合されて伸びない側縁部とされ、かつ、上端縁に沿って横方向に延びる上縁部を含み、その上縁部に当該マスクの装着者の鼻に係合することによりその上縁部が下方へずれることを防止する下ずれ防止部が設けられるマスク。」
　　
　そして、次の点で相違する。
　　
＜相違点１＞
　本件特許発明１においては、「下端部にその下端部が上方にずれることを防止する上ずれ防止部を備え、その上ずれ防止部が、前記四角形の素材の下端部が内側へ折り返されるとともに、その折り返された部分の両側縁部の少なくとも各折返し点に隣接する部分がそれら両側縁部と対向する部分に接合される一方、その折り返された部分の横方向に平行な端縁部はその端縁部に対向する部分に接合されず、それら折り返された部分とその折り返された部分に対向する部分とによって、前記覆い部の内側に上方に向かって開いた凹部が形成されて成り、その凹部が当該マスクの装着者の顎に掛かって前記上ずれ防止部として機能するものである」のに対し、構成Ａ発明においては、そのようなものではない点（以下、「相違点１」という。）
 　 
　そこで、上記相違点１について、以下に検討する。
　甲第１号証の「同様の伸縮性繊維がフィルター部２の折り曲げ部の終末端に固定され、着用者のあごの下を通るチンストラップ２６を提供する。チンストラップ２６は着用者の顔の周りの密閉性を高めるのに役立つ。折り曲げ部とチンストラップはさらに着用者のあごを入れるためのポーチ３０を提供する。」という記載、甲第７号証の記載、甲第８号証の記載及び甲第９ないし１１号証の記載からみて、上記相違点１に係る本件特許発明１の発明特定事項は周知である（以下、「周知技術」という。）。
　したがって、構成Ａ発明に、周知技術を適用し、相違点１に係る本件特許発明１の発明特定事項とすることは、当業者であれば容易に想到し得たことである。
　そして、本件特許発明１を全体としてみても、本件特許発明１により、構成Ａ発明及び周知技術からみて、格別顕著な効果が奏されるともいえない。　よって、本件特許発明１は、構成Ａ発明及び周知技術に基づいて、当業者が容易に発明をすることができたものであり、特許法第２９条第２項の規定により特許を受けることができない。
　　
（２）本件特許発明２について
ア　甲第１号証を主引用文献とした場合
　本件特許発明２と甲１発明を対比するに、両者は、次の点で相違し、それ以外には、実質的な相違点はない。
　　
＜相違点２ａ＞
　本件特許発明２においては、「折返し部の両側縁部の折返し点に隣接する部分がそれら両側縁部に対向する部分に接合される一方、その折返し部の自由端側の両側縁部は接合されず、それら接合されない両側縁部に前記２つの耳掛部の各一端が接合された」であるのに対し、甲１発明においては、そのようなものではない点（以下、「相違点２ａ」という。）。
　
　そこで、相違点２ａについて、以下に検討する。
　マスクの両側縁部に耳掛部を接合することは、甲第２ないし７号証に記載されている（以下、「技術１」という。）。
　また、耳掛部の接合位置の差や接合位置の状態によって、作用、効果に顕著な差は生じることなく、耳掛部の接合位置の差や接合位置の状態をどのようにするかは、当業者にとって、設計的事項である。
　したがって、甲１発明において、技術１を適用し、相違点２ａに係る本件特許発明２の発明特定事項とすることは、当業者であれば容易に想到し得たことである。
　そして、本件特許発明２を全体としてみても、本件特許発明２により、甲１発明及び技術１からみて、格別顕著な効果が奏されるともいえない。
　よって、本件特許発明２は、甲１発明及び技術１に基づいて、当業者が容易に発明をすることができたものであり、特許法第２９条第２項の規定により特許を受けることができない。
 　 
イ　甲第２ないし６号証の何れかを主引用文献とした場合
　本件特許発明２と構成Ａ発明を対比するに、両者は、相違点１に加え、次の点で相違する。
　
＜相違点２ｂ＞
　本件特許発明２においては、「前記折返し部の両側縁部の折返し点に隣接する部分がそれら両側縁部に対向する部分に接合される一方、その折返し部の自由端側の両側縁部は接合されず、それら接合されない両側縁部に前記２つの耳掛部の各一端が接合された」であるのに対し、構成Ａ発明においては、そのようなものではない点（以下、「相違点２ｂ」という。）。
　
　そこで、相違点２ｂについて、以下に検討する。
　上記第４　３（２）アと同様の理由で、構成Ａ発明において、技術１を適用し、相違点２ｂに係る本件特許発明２の発明特定事項とすることは、当業者であれば容易に想到し得たことである。
　そして、本件特許発明２を全体としてみても、本件特許発明２により、構成Ａ発明、周知技術及び技術１からみて、格別顕著な効果が奏されるともいえない。
　したがって、本件特許発明２は、構成Ａ発明、周知技術及び技術１に基づいて、当業者が容易に発明をすることができたものであり、特許法第２９条第２項の規定により特許を受けることができない。
　
（３）本件特許発明３について
ア　甲第１号証を主引用文献とした場合
　本件特許発明３と甲１発明を対比するに、両者は、次の点で相違し、それ以外には、実質的な相違点はない。
　　
＜相違点３ａ＞
　本件特許発明３においては、「前記折返し部の両側縁部の全部がそれら両側縁部に対向する部分に接合されるとともに、その折返し部の両側縁部に前記２つの耳掛部の各一端が接合された」であるのに対し、甲１発明においては、そのようなものではない点（以下、「相違点３ａ」という。）。 
　　
　そこで、相違点３ａについて、以下に検討する。
　技術１として示したとおり、マスクの両側縁部に耳掛部を接合することは、甲第２ないし７号証に記載されている。
　また、耳掛部の接合位置の差や接合位置の状態によって、作用、効果に顕著な差は生じることなく、耳掛部の接合位置の差や接合位置の状態をどのようにするかは、当業者にとって、設計的事項である。
　したがって、甲１発明において、技術１を適用し、相違点３ａに係る本件特許発明３の発明特定事項とすることは、当業者であれば容易に想到し得たことである。
　そして、本件特許発明３を全体としてみても、本件特許発明３により、甲１発明及び技術１からみて、格別顕著な効果が奏されるともいえない。
　よって、本件特許発明３は、甲１発明及び技術１に基づいて、当業者が容易に発明をすることができたものであり、特許法第２９条第２項の規定により特許を受けることができない。
　
イ　甲第２ないし６号証の何れかを主引用文献とした場合
　本件特許発明３と構成Ａ発明を対比するに、両者は、相違点１に加え、次の点で相違する。 
　　
＜相違点３ｂ＞
　本件特許発明３においては、「前記折返し部の両側縁部の全部がそれら両側縁部に対向する部分に接合されるとともに、その折返し部の両側縁部に前記２つの耳掛部の各一端が接合された」であるのに対し、構成Ａ発明においては、そのようなものではない点（以下、「相違点３ｂ」という。）。
　
　そこで、相違点３ｂについて、以下に検討する。
　上記第４　３（３）アと同様の理由で、構成Ａ発明において、技術１を適用し、相違点３ｂに係る本件特許発明３の発明特定事項とすることは、当業者であれば容易に想到し得たことである。
　そして、本件特許発明３を全体としてみても、本件特許発明３により、構成Ａ発明、周知技術及び技術１からみて、格別顕著な効果が奏されるともいえない。
　したがって、本件特許発明３は、構成Ａ発明、周知技術及び技術１に基づいて、当業者が容易に発明をすることができたものであり、特許法第２９条第２項の規定により特許を受けることができない。
　
（４）本件特許発明４について 
　以下、本件特許発明４のうち、本件特許の特許請求の範囲の請求項１のみを引用する請求項４に係る発明について判断する。
ア　甲第１号証を主引用文献とした場合
　本件特許発明４と甲１発明を対比するに、両者は、次の点で相違する。
　
＜相違点４ａ＞
　本件特許発明４においては、「前記複数のヒダが１つの箱ヒダと、その箱ヒダの下方に形成された車ヒダとの両方を含む」であるのに対し、甲１発明においては、そのようなものではない点（以下、「相違点４ａ」という。）。
　　
　そこで、相違点４ａについて、以下に検討する。
　複数のヒダが１つの箱ヒダと、その箱ヒダの下方に形成された車ヒダとの両方を含むようにすることは、甲第３号証（特に図２を参照。）、甲第４号証（特に図２を参照。）及び甲第６号証（特に図４を参照。）に記載されている（以下、「技術２」という。）。
　したがって、甲１発明において、技術２を適用し、相違点４ａに係る本件特許発明４の発明特定事項とすることは、当業者であれば容易に想到し得たことである。
　そして、本件特許発明４を全体としてみても、本件特許発明４により、甲１発明及び技術２からみて、格別顕著な効果が奏されるともいえない。
　よって、本件特許発明４は、甲１発明及び技術２に基づいて、当業者が容易に発明をすることができたものであり、特許法第２９条第２項の規定により特許を受けることができない。
　　
イ　甲第２ないし６号証の何れかを主引用文献とした場合
　本件特許発明４と構成Ａ発明を対比するに、両者は、相違点１に加え、次の点で相違する。
　
＜相違点４ｂ＞
　本件特許発明４においては、「前記複数のヒダが１つの箱ヒダと、その箱ヒダの下方に形成された車ヒダとの両方を含む」であるのに対し、構成Ａ発明においては、そのようなものではない点（以下、「相違点４ｂ」という。）。
　　
　そこで、相違点４ｂについて、以下に検討する。
　上記第４　３（４）アと同様の理由で、構成Ａ発明において、技術２を適用し、相違点４ｂに係る本件特許発明４の発明特定事項とすることは、当業者であれば容易に想到し得たことである。
　そして、本件特許発明４を全体としてみても、本件特許発明４により、構成Ａ発明、周知技術及び技術２からみて、格別顕著な効果が奏されるともいえない。
　したがって、本件特許発明４は、構成Ａ発明、周知技術及び技術２に基づいて、当業者が容易に発明をすることができたものであり、特許法第２９条第２項の規定により特許を受けることができない。
　　
（５）本件特許発明５について
　以下、本件特許発明５のうち、本件特許の特許請求の範囲の請求項１のみを引用する請求項５に係る発明について判断する。
ア　甲第１号証を主引用文献とした場合
　本件特許発明５と甲１発明を対比するに、両者は、次の点で相違する。
　　
＜相違点５ａ＞
　本件特許発明５においては、「前記複数のヒダが、その覆い部の上下方向の中間部に形成された１つの箱ヒダと、その箱ヒダの下方に形成された複数の車ヒダとを含み、前記箱ヒダの上方にはヒダが形成されていない」であるのに対し、甲１発明においては、そのようなものではない点（以下、「相違点５ａ」という。）。
　　
　そこで、相違点５ａについて、以下に検討する。
　複数のヒダが、その覆い部の上下方向の中間部に形成された１つの箱ヒダと、その箱ヒダの下方に形成された複数の車ヒダとを含み、箱ヒダの上方にはヒダが形成されていないようにすることは、甲第３号証（特に図２を参照。）に記載されている（以下、「技術３」という。）。
　したがって、甲１発明において、技術３を適用し、相違点５ａに係る本件特許発明５の発明特定事項とすることは、当業者であれば容易に想到し得たことである。
　そして、本件特許発明５を全体としてみても、本件特許発明５により、甲１発明及び技術３からみて、格別顕著な効果が奏されるともいえない。
　よって、本件特許発明５は、甲１発明及び技術３に基づいて、当業者が容易に発明をすることができたものであり、特許法第２９条第２項の規定により特許を受けることができない。
　
イ　甲第２ないし６号証の何れかを主引用文献とした場合
　本件特許発明５と構成Ａ発明を対比するに、両者は、相違点１に加え、次の点で相違する。
　
＜相違点５ｂ＞
　本件特許発明５においては、「前記複数のヒダが、その覆い部の上下方向の中間部に形成された１つの箱ヒダと、その箱ヒダの下方に形成された複数の車ヒダとを含み、前記箱ヒダの上方にはヒダが形成されていない」であるのに対し、構成Ａ発明においては、そのようなものではない点（以下、「相違点５ｂ」という。）。
　　
　そこで、相違点５ｂについて、以下に検討する。
　上記第４　３（５）アと同様の理由で、構成Ａ発明において、技術３を適用し、相違点５ｂに係る本件特許発明５の発明特定事項とすることは、当業者であれば容易に想到し得たことである。
　そして、本件特許発明５を全体としてみても、本件特許発明５により、構成Ａ発明、周知技術及び技術３からみて、格別顕著な効果が奏されるともいえない。
　したがって、本件特許発明５は、構成Ａ発明、周知技術及び技術３に基づいて、当業者が容易に発明をすることができたものであり、特許法第２９条第２項の規定により特許を受けることができない。
　　
（６）本件特許発明６について
　以下、本件特許発明６のうち、本件特許の特許請求の範囲の請求項１のみを引用する請求項６に係る発明について判断する。
ア　甲第１号証を主引用文献とした場合
　本件特許発明６と甲１発明を対比するに、両者は、次の点で相違する。
　　
＜相違点６ａ＞
　本件特許発明６においては、「前記上縁部に、塑性変形が可能な材料から成る長手形状の塑性変形部材が取り付けられ、前記下ずれ防止部とされた」であるのに対し、甲１発明においては、そのようなものではない点（以下、「相違点６ａ」という。）。
　
　そこで、相違点６ａについて、以下に検討する。
　上縁部に、塑性変形が可能な材料から成る長手形状の塑性変形部材が取り付けられ、下ずれ防止部とすることは、甲第１ないし６号証に記載されている（以下、「技術４」という。）。
　したがって、甲１発明において、技術４を適用し、相違点６ａに係る本件特許発明６の発明特定事項とすることは、当業者であれば容易に想到し得たことである。
　そして、本件特許発明６を全体としてみても、本件特許発明６により、甲１発明及び技術４からみて、格別顕著な効果が奏されるともいえない。
　よって、本件特許発明６は、甲１発明及び技術４に基づいて、当業者が容易に発明をすることができたものであり、特許法第２９条第２項の規定により特許を受けることができない。
　　
イ　甲第２ないし６号証の何れかを主引用文献とした場合
　本件特許発明６と構成Ａ発明を対比するに、両者は、相違点１に加え、次の点で相違する。
　　
＜相違点６ｂ＞
　本件特許発明６においては、「前記上縁部に、塑性変形が可能な材料から成る長手形状の塑性変形部材が取り付けられ、前記下ずれ防止部とされた」であるのに対し、構成Ａ発明においては、そのようなものではない点（以下、「相違点６ｂ」という。）。
　　
　そこで、相違点６ｂについて、以下に検討する。
　上記第４　３（６）アと同様の理由で、構成Ａ発明において、技術４を適用し、相違点６ｂに係る本件特許発明６の発明特定事項とすることは、当業者であれば容易に想到し得たことである。
　そして、本件特許発明６を全体としてみても、本件特許発明６により、構成Ａ発明、周知技術及び技術４からみて、格別顕著な効果が奏されるともいえない。
　したがって、本件特許発明６は、構成Ａ発明、周知技術及び技術４に基づいて、当業者が容易に発明をすることができたものであり、特許法第２９条第２項の規定により特許を受けることができない。
　
（７）本件特許発明７について
　以下、本件特許発明７のうち、本件特許の特許請求の範囲の請求項１のみを引用する請求項７に係る発明について判断する。
ア　甲第１号証を主引用文献とした場合
　本件特許発明７と甲１発明を対比するに、両者は、次の点で相違する。
　　
＜相違点７ａ＞
　本件特許発明７においては、「前記通気性を有する素材が、複数枚の通気性を有するシートが重ね合わされたものであり、前記覆い部の少なくとも上端縁と下端縁とにおいて、１枚のシートが他のシートの縁から外方に延び出させられ、他のシートの縁部の上に折り返されて接合された」であるのに対し、甲１発明においては、そのようなものではない点（以下、「相違点７ａ」という。）。
　　
　そこで、相違点７ａについて、以下に検討する。
　通気性を有する素材が、複数枚の通気性を有するシートが重ね合わされたものであり、覆い部の少なくとも上端縁と下端縁とにおいて、１枚のシートが他のシートの縁から外方に延び出させられ、他のシートの縁部の上に折り返されて接合されるようにすることは、甲第５及び６号証に記載されている（以下、「技術５」という。）。
　したがって、甲１発明において、技術５を適用し、相違点７ａに係る本件特許発明７の発明特定事項とすることは、当業者であれば容易に想到し得たことである。
　そして、本件特許発明７を全体としてみても、本件特許発明７により、甲１発明及び技術５からみて、格別顕著な効果が奏されるともいえない。
　よって、本件特許発明７は、甲１発明及び技術５に基づいて、当業者が容易に発明をすることができたものであり、特許法第２９条第２項の規定により特許を受けることができない。
 　 
イ　甲第２ないし６号証の何れかを主引用文献とした場合
　本件特許発明７と構成Ａ発明を対比するに、両者は、相違点１に加え、次の点で相違する。
 　 
＜相違点７ｂ＞
　本件特許発明７においては、「前記通気性を有する素材が、複数枚の通気性を有するシートが重ね合わされたものであり、前記覆い部の少なくとも上端縁と下端縁とにおいて、１枚のシートが他のシートの縁から外方に延び出させられ、他のシートの縁部の上に折り返されて接合された」であるのに対し、構成Ａ発明においては、そのようなものではない点（以下、「相違点７ｂ」という。）。
　　
　そこで、相違点７ｂについて、以下に検討する。
　上記第４　３（７）アと同様の理由で、構成Ａ発明において、技術５を適用し、相違点７ｂに係る本件特許発明７の発明特定事項とすることは、当業者であれば容易に想到し得たことである。
　そして、本件特許発明７を全体としてみても、本件特許発明７により、構成Ａ発明、周知技術及び技術５からみて、格別顕著な効果が奏されるともいえない。
　したがって、本件特許発明７は、構成Ａ発明、周知技術及び技術５に基づいて、当業者が容易に発明をすることができたものであり、特許法第２９条第２項の規定により特許を受けることができない。
　　
第５　むすび
　したがって、本件特許の請求項１ないし７に係る発明についての特許は、特許法第１２３条第１項第２号に該当し無効とすべきものである。
　審判に関する費用については、特許法第１６９条第２項の規定で準用する民事訴訟法第６１条の規定により、被請求人が負担すべきものとする。
　　
　よって、結論のとおり審決する。